(57)【要約】      （修正有）【課題】ページング信号の送信量を抑制しつつ移動機を確実に呼び出す。【解決手段】移動通信システム１は、複数のセルで構成され、移動機Ｍの現在位置を含む位置登録エリアを示す位置登録エリア情報を記憶する記憶部１１と、移動機Ｍの位置を示す位置情報を受信する受信部１３と、受信された位置情報に基づいて、移動機Ｍが現在位置するセルを推定する応答部１４と、移動機Ｍへのページング処理を実行する場合に、まず、推定されたセルにおいて第１のページング信号を送信し、移動機Ｍが第１のページング信号に応答しなかった場合には、記憶部１１に記憶されている位置登録エリア情報で示される位置登録エリアにおいて第２のページング信号を送信する呼出部と、を備える。【選択図】図２
2010246014.tif 000002
【特許請求の範囲】
【請求項１】
複数のセルで構成され、移動機の現在位置を含む位置登録エリアを示す位置登録エリア情報を記憶するエリア記憶手段と、
前記移動機の位置を示す位置情報を受信する受信手段と、
前記受信手段により受信された位置情報に基づいて、前記移動機が現在位置するセルを推定する推定手段と、
前記移動機へのページング処理を実行する場合に、まず、前記推定手段により推定されたセルにおいて第１のページング信号を送信し、該移動機が該第１のページング信号に応答しなかった場合には、前記エリア記憶手段に記憶されている位置登録エリア情報で示される位置登録エリアにおいて第２のページング信号を送信する呼出手段と、
を備える移動通信システム。
【請求項２】
前記推定手段が、前記移動機が前記受信手段により受信された最新の位置情報に対応するセルに現在位置していると推定する、
請求項１に記載の移動通信システム。
【請求項３】
前記受信手段により受信された位置情報を記憶することで前記移動機の位置情報の履歴を蓄積する履歴記憶手段を更に備え、
前記推定手段が、前記履歴記憶手段に蓄積されている位置情報の履歴に基づいて、所定の時間帯での所定のセルにおける前記移動機の平均滞留時間を算出し、該滞留時間が所定の閾値以上である場合に、該移動機が該所定のセルに現在位置していると推定する、
請求項１に記載の移動通信システム。
【請求項４】
前記推定手段が、前記履歴記憶手段に位置情報が記憶されたことを契機として、前記位置情報の履歴に基づく推定処理を実行する、
請求項３に記載の移動通信システム。
【請求項５】
前記推定手段が、前記移動機へのページング処理が実行されることを契機として、前記位置情報の履歴に基づく推定処理を実行する、
請求項３に記載の移動通信システム。
【請求項６】
前記推定手段により推定されたセルが、前記エリア記憶手段に記憶されている位置登録エリア情報で示される位置登録エリアに含まれるか否かを判定する判定手段を更に備え、
前記呼出手段が、前記判定手段により前記推定されたセルが前記位置登録エリアに含まれると判定された場合にのみ、前記第１のページング信号を送信する、
請求項１〜５のいずれか一項に記載の移動通信システム。
【請求項７】
前記受信手段が、前記移動機と基地局とが無線接続された時の位置を示す位置情報を受信する、
請求項１〜６のいずれか一項に記載の移動通信システム。
【請求項８】
前記受信手段により受信される位置情報が、基地局がカバーするセルを識別するセル情報を含む、
請求項１〜７のいずれか一項に記載の移動通信システム。
【請求項９】
移動通信システムにより実行される移動通信方法であって、
複数のセルで構成され、移動機の現在位置を含む位置登録エリアを示す位置登録エリア情報を記憶するエリア記憶ステップと、
前記移動機の位置を示す位置情報を受信する受信ステップと、
前記受信ステップにおいて受信された位置情報に基づいて、前記移動機が現在位置するセルを推定する推定ステップと、
前記移動機へのページング処理を実行する場合に、まず、前記推定ステップにおいて推定されたセルにおいて第１のページング信号を送信し、該移動機が該第１のページング信号に応答しなかった場合には、前記エリア記憶ステップにおいて記憶された位置登録エリア情報で示される位置登録エリアにおいて第２のページング信号を送信する呼出ステップと、
を含むことを特徴とする移動通信方法。
【発明の詳細な説明】
【技術分野】
【０００１】
本発明は、ページング処理を実行する移動通信システム及び移動通信方法に関する。
【背景技術】
【０００２】
移動機を呼び出すためのページング処理に関して、従来から様々な手法が知られている。例えば下記特許文献１には、移動機のモビリティレートに基づいてページング信号の送信範囲を決定する方法が記載されている。ここで、モビリティレートとは、移動機が位置登録エリアに入った際に実行される位置登録処理の頻度である。この方法では、モビリティレートの低い移動機に対しては、移動機が存在するセルに対してページング信号が送信され、モビリティレートの高い移動機に対しては、従来のように、複数のセルで構成される位置登録エリアに対してページング信号が送信される。
【先行技術文献】
【特許文献】
【０００３】
【特許文献１】特表２００２−５３４０３２号公報
【発明の概要】
【発明が解決しようとする課題】
【０００４】
上記特許文献１の方法を採用することでページング信号の送信範囲を移動機毎に設定することができる。しかし、位置登録の頻度と移動範囲の広さとは必ずしも関連しないので、移動範囲は狭くても不必要に広い範囲にページング信号が送信されてしまう場合がある。例えば、位置登録エリアの境界付近に住むユーザの移動機についてそのような現象が発生する可能性がある。
【０００５】
本発明は上記課題を解決するためになされたものであり、ページング信号の送信量を抑制しつつ移動機を確実に呼び出すことが可能な移動通信システム及び移動通信方法を提供することを目的とする。
【課題を解決するための手段】
【０００６】
本発明の移動通信システムは、複数のセルで構成され、移動機の現在位置を含む位置登録エリアを示す位置登録エリア情報を記憶するエリア記憶手段と、移動機の位置を示す位置情報を受信する受信手段と、受信手段により受信された位置情報に基づいて、移動機が現在位置するセルを推定する推定手段と、移動機へのページング処理を実行する場合に、まず、推定手段により推定されたセルにおいて第１のページング信号を送信し、該移動機が該第１のページング信号に応答しなかった場合には、エリア記憶手段に記憶されている位置登録エリア情報で示される位置登録エリアにおいて第２のページング信号を送信する呼出手段と、を備える。
【０００７】
また、本発明の移動通信方法は、移動通信システムにより実行される移動通信方法であって、複数のセルで構成され、移動機の現在位置を含む位置登録エリアを示す位置登録エリア情報を記憶するエリア記憶ステップと、移動機の位置を示す位置情報を受信する受信ステップと、受信ステップにおいて受信された位置情報に基づいて、移動機が現在位置するセルを推定する推定ステップと、移動機へのページング処理を実行する場合に、まず、推定ステップにおいて推定されたセルにおいて第１のページング信号を送信し、該移動機が該第１のページング信号に応答しなかった場合には、エリア記憶ステップにおいて記憶された位置登録エリア情報で示される位置登録エリアにおいて第２のページング信号を送信する呼出ステップと、を含むことを特徴とする。
【０００８】
このような移動通信システム及び移動通信方法によれば、移動機が現在位置していると思われるセルが位置情報に基づいて推定され、ページング処理時にはまずそのセルにおいて第１のページング信号が送信される。そして、最初のページング処理で移動機が応答しなかった場合には位置登録エリアにおいて第２のページング信号が送信される。第１のページング信号の送信範囲であるセルは移動機の過去の存在場所に基づいて推定されるので、１回目のページング処理で移動機が応答する確率を上げ、その分ページング信号の送信量を抑制することができる。また、１回目のページング処理で移動機が応答しない場合には、移動機の現在位置を含む位置登録エリアにおいてページング信号が送信されるので、移動機を確実に呼び出すことができる。
【０００９】
本発明の移動通信システムでは、推定手段が、移動機が受信手段により受信された最新の位置情報に対応するセルに現在位置していると推定することが好ましい。
【００１０】
この場合、最近受信された位置情報に対応するセルが選択されるので、１回目のページング処理で移動機が応答する確率が高めることができる。また、推定の際に特別な演算が必要ないので、処理が簡易である。
【００１１】
本発明の移動通信システムでは、受信手段により受信された位置情報を記憶することで移動機の位置情報の履歴を蓄積する履歴記憶手段を更に備え、推定手段が、履歴記憶手段に蓄積されている位置情報の履歴に基づいて、所定の時間帯での所定のセルにおける移動機の平均滞留時間を算出し、該滞留時間が所定の閾値以上である場合に、該移動機が該所定のセルに現在位置していると推定することが好ましい。
【００１２】
この場合、蓄積された位置情報の履歴に基づいて所定のセルにおける移動機の平均滞留時間が算出され、この滞留時間に基づいて１回目のページング処理を行うセルが推定される。これにより、ユーザの生活パターンに合わせて第１のページング信号が送信されるので、１回目のページング処理で移動機が応答する確率を高めることができる。
【００１３】
本発明の移動通信システムでは、推定手段が、履歴記憶手段に位置情報が記憶されたことを契機として、位置情報の履歴に基づく推定処理を実行することが好ましい。
【００１４】
この場合、新たな位置情報が記憶されたタイミングで推定処理が実行されるので、ページング処理時にはその推定結果を参照すれば足り、その結果、ページング処理時の負荷を軽減することができる。
【００１５】
本発明の移動通信システムでは、推定手段が、移動機へのページング処理が実行されることを契機として、位置情報の履歴に基づく推定処理を実行することが好ましい。
【００１６】
この場合、ページング処理が実行されるタイミングで推定処理が実行されるので、推定処理の回数を抑えることができる。
【００１７】
本発明の移動通信システムでは、推定手段により推定されたセルが、エリア記憶手段に記憶されている位置登録エリア情報で示される位置登録エリアに含まれるか否かを判定する判定手段を更に備え、呼出手段が、判定手段により推定されたセルが位置登録エリアに含まれると判定された場合にのみ、第１のページング信号を送信することが好ましい。
【００１８】
この場合、推定されたセルが位置登録エリアに含まれる場合のみ、そのセルに向けて第１のページング信号が送信されるので、移動機が明らかに存在しないセルにおいてページング信号を送信する無駄を省くことができる。
【００１９】
本発明の移動通信システムでは、受信手段が、移動機と基地局とが無線接続された時の位置を示す位置情報を受信することが好ましい。
【００２０】
この場合、従来から用いられている接続手順の中で位置情報を取得することが可能であるので、特別な位置情報取得技術を新たに導入することなく、ページング信号の送信量を抑制しつつ移動機を確実に呼び出すことが可能になる。
【００２１】
本発明の移動通信システムでは、受信手段により受信される位置情報が、基地局がカバーするセルを識別するセル情報を含むことが好ましい。
【００２２】
この場合、移動機の位置をセル情報で表すので、全地球測位システム（ＧＰＳ）などの測位システムを用いる必要がなく、また、推定処理を簡易に実行することができる。
【発明の効果】
【００２３】
このような移動通信システム及び移動通信方法によれば、まず、移動機の過去の存在場所に基づいて推定された特定のセルにおいてページング信号が送信され、移動機がこの信号に応答しなかった場合には、移動機の現在位置を含む位置登録エリアにおいてページング信号が送信されるので、ページング信号の送信量を抑制しつつ移動機を確実に呼び出すことができる。
【図面の簡単な説明】
【００２４】
【図１】第１実施形態に係る移動通信システムの全体構成を示す図である。
【図２】図１に示す位置管理サーバの機能構成を示す図である。
【図３】図１に示す位置管理サーバのハードウェア構成を示す図である。
【図４】図２に示す記憶部が記憶する情報の例を示す図である。
【図５】図１に示す交換機の機能構成を示す図である。
【図６】図１に示す移動通信システムの位置登録エリア更新処理を示す図である。
【図７】図１に示す移動通信システムのセル情報記憶処理を示す図である。
【図８】図１に示す移動通信システムのページング処理を示す図である。
【図９】図１に示す移動通信システムのページング処理を示す図である。
【図１０】第２実施形態に係る位置管理サーバ（移動通信システム）の機能構成を示す図である。
【図１１】図１０に示す記憶部が記憶する情報の例を示す図である。
【図１２】図１０に示す移動通信システムの推定処理を示す図である。
【図１３】図１０に示す移動通信システムのページング処理を示す図である。
【発明を実施するための形態】
【００２５】
以下、添付図面を参照しながら本発明の実施形態を詳細に説明する。なお、図面の説明において同一又は同等の要素には同一の符号を付し、重複する説明を省略する。
【００２６】
（第１実施形態）
まず、図１〜５を用いて、第１実施形態に係る移動通信システム１の機能及び構成を説明する。
【００２７】
移動通信システム１は、移動機Ｍの呼接続やデータ通信を制御する無線ネットワークシステムである。図１に示すように、移動通信システム１は、移動機Ｍと無線接続する基地局Ｂと、移動機間の呼接続を制御する（例えば基地局Ｂを介して移動機Ｍにページング信号を送信する）交換機２０と、移動機Ｍに送信されるページング信号の送信範囲を設定及び記憶する位置管理サーバ１０とを備えている。なお、図１では以下の説明で必要な部分のみを描画しているが、移動通信システム１はより多くの数の交換機２０、基地局Ｂ、及び移動機Ｍを含むことができ、また他の通信制御装置も含んで構成される。
【００２８】
図２に示すように、位置管理サーバ１０は機能的構成要素として記憶部（エリア記憶手段）１１、エリア管理部１２、受信部（受信手段）１３及び応答部（推定手段）１４を備えている。
【００２９】
この位置管理サーバ１０は、図３に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力部１０５と、モニタなどの出力部１０６とで構成される。位置管理サーバ１０の各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００３０】
図２に戻って、記憶部１１は、移動機Ｍに対するページング信号の送信範囲に関する情報を記憶する部分である。具体的には図４に示すように、記憶部１１は、移動機Ｍを識別する端末ＩＤと、その移動機Ｍの現在位置を含む位置登録エリアを示す位置登録エリア情報と、移動機Ｍが最後に受信したセル情報とを関連付けて記憶する。なお、位置登録エリアは複数のセルで構成される一定の範囲である。また、セルは基地局Ｂがカバーする通信範囲のことである。記憶部１１は、後述するエリア管理部１２からの入力に基づいて位置登録エリア情報を更新し、後述する受信部１３からの入力に基づいてセル情報を更新する。
【００３１】
エリア管理部１２は、移動機Ｍから送信された位置登録エリア情報を受信して記憶部１１に記憶する部分である。移動機Ｍが、自機の端末ＩＤと現在位置に対応する位置登録エリア情報とを含む位置登録要求を所定のタイミング（例えば位置登録エリアに入圏した時や周期的に）で送信すると、この要求は基地局Ｂを経由して位置管理サーバ１０まで伝送される。エリア管理部１２はこの位置登録要求を受信して端末ＩＤ及び位置登録エリア情報を抽出し、これらの情報を記憶部１１に出力する。これにより、位置登録要求を送信した移動機Ｍの位置登録エリア情報が更新される。また、エリア管理部１２は、位置登録要求に対する応答信号（位置登録応答）を生成し、その移動機Ｍに向けて送信する。
【００３２】
受信部１３は、移動機Ｍの位置を示す位置情報を受信する部分である。移動機Ｍにおいて呼接続処理（発信処理又は着信処理）が実行されると、移動機Ｍと基地局Ｂとの間で無線接続が確立され、このタイミングで基地局Ｂは、移動機Ｍが位置するセルを識別するセル情報を位置情報として取得する。基地局Ｂは、移動機Ｍを識別する端末ＩＤと、取得したセル情報とを位置管理サーバ１０に向けて送信する。受信部１３はそのセル情報を受信して記憶部１１に出力する。
【００３３】
応答部１４は、移動機Ｍにページング信号を送信しようとする交換機２０からの要求に応じて、その移動機Ｍのセル情報及び位置登録エリア情報を交換機２０に送信する部分である。応答部１４は、交換機２０から受信した位置取得要求に含まれる端末ＩＤに対応するセル情報及び位置登録エリア情報を記憶部１１から読み出す。続いて、応答部１４は、その端末ＩＤで識別される移動機Ｍが、読み出したセル情報で示されるセルに現在も存在していると推定し、読み出したセル情報及び位置登録エリア情報を含む位置取得応答を交換機２０に送信する。
【００３４】
次に、交換機２０について説明する。図５に示すように、交換機２０は機能的構成要素として呼出部（呼出手段）２１を備えている。
【００３５】
呼出部２１は、移動機Ｍを呼び出すためのページング処理を実行する部分である。他の交換機や、管理エリア内に存在する発信端末（共に図示せず）からの着信要求を受信すると、呼出部２１はその着信要求から着信端末の端末ＩＤを抽出する。続いて、呼出部２１は、着信端末の存在位置を取得するために、その端末ＩＤを含む位置取得要求を生成して位置管理サーバ１０に送信する。その後、呼出部２１はこの要求に応じて位置管理サーバ１０（応答部１４）から送信された位置取得応答を受信し、セル情報及び位置登録エリア情報を抽出する。
【００３６】
続いて、呼出部２１はセル情報で示されるセルを管理する基地局Ｂに対してページング信号（第１のページング信号）を送信すると共に、タイマーを起動する。このタイマーは、ページング信号を送信してから所定の時間（以下では「最大待機時間Ｔ」という）が経過しても移動機Ｍ（着信端末）が応答しない場合に１回目のページング処理を打ち切るために使用される。この送信処理により、セル情報に対応する一の基地局Ｂからページング信号（第１のページング信号）が送信される。
【００３７】
最大待機時間Ｔ以内に移動機Ｍから応答信号を受信した場合には、呼出部２１は従来の手法により後続処理を実行する。
【００３８】
これに対し、移動機Ｍから応答信号を受信することなく最大待機時間Ｔが経過した場合には、呼出部２１はページング処理を終了させるための命令信号を、ページング処理中の基地局Ｂに送信する。なお、移動機Ｍが最初のページング信号に応答しない理由としては、移動機Ｍが他のセルや通信圏外に移動したり、移動機Ｍの電源が切られていたりすることなどが挙げられる。
【００３９】
続いて、呼出部２１は、保持している位置登録エリア情報で示される位置登録エリアに対応する複数の基地局Ｂに対してページング信号（第２のページング信号）を再度送信する。なお、「位置登録エリアに対応する複数の基地局」とは、位置登録エリアを構成するセルを管理する各基地局のことである。この送信処理により、複数の基地局Ｂからページング信号が送信される。移動機Ｍは、今回のページング信号の送信範囲（位置登録エリア）内に存在するので、移動機Ｍが偶々電波強度の弱い場所に位置していたり移動機Ｍの電源が切られていたりしない限り、移動機Ｍはそのページング信号に応答する。
【００４０】
次に、図６〜９を用いて、図１に示す移動通信システム１の動作を説明するとともに本実施形態に係る移動通信方法について説明する。
【００４１】
まず、図６を用いて位置登録エリア情報を更新する処理を説明する。移動機Ｍにおいて所定のタイミング（入圏時、周期的など）で位置登録処理が実行され（ステップＳ１１）、位置登録エリア情報を含む位置登録要求が基地局Ｂを経由して送られてくると（ステップＳ１２）、エリア管理部１２がその位置登録エリア情報を記憶部１１に記憶する（ステップＳ１３、エリア記憶ステップ）。これにより移動機Ｍの位置登録エリア情報が更新される。続いて、エリア管理部１２は位置登録応答を移動機Ｍに向けて送信する（ステップＳ１４）。
【００４２】
次に、図７を用いて、セル情報を更新する処理を説明する。移動機Ｍにおける呼接続処理が実行されて移動機Ｍと基地局Ｂとが無線接続されると（ステップＳ２１）、その基地局Ｂが移動機の位置するセルを示すセル情報を取得して（ステップＳ２２）、位置管理サーバ１０に送信する（ステップＳ２３）。位置管理サーバ１０では、受信部１３がそのセル情報を受信し（ステップＳ２３、受信ステップ）、記憶部１１がその情報を記憶する（ステップＳ２４）。これにより、移動機Ｍのセル情報が更新される。
【００４３】
次に、図８を用いて、移動機が１回目のページング処理で応答する場合を説明する。交換機２０において、移動機Ｍを呼び出すための着信要求が受信されると（ステップＳ３１）、呼出部２１が移動機Ｍの端末ＩＤを含む位置取得要求を位置管理サーバ１０に送信する（ステップＳ３２）。
【００４４】
位置管理サーバ１０では、応答部１４がその要求に含まれる端末ＩＤに対応するセル情報及び位置登録エリア情報を読み出し（ステップＳ３３）、移動機Ｍがそのセル情報で示されるセルに現在も存在していると推定する（ステップＳ３４、推定ステップ）。続いて、応答部１４は読み出したセル情報及び位置登録エリア情報を位置取得応答として交換機２０に送信する（ステップＳ３５）。
【００４５】
交換機２０では、呼出部２１が受信したセル情報で示されるセルを管理する一の基地局Ｂに（第１の）ページング信号を送信する（ステップＳ３６、呼出ステップ）。続いて、その信号を受信した一の基地局Ｂが移動機Ｍに向けてページング信号を送信する（ステップＳ３７、呼出ステップ）。移動機Ｍがこの信号に対して最大待機時間Ｔ以内に応答した場合には（ステップＳ３８）、引き続き所定の後続処理が実行される。
【００４６】
次に、図９を用いて、移動機が２回目のページング処理で初めて応答する場合を説明する。この場合はまず、上述したステップＳ３１〜Ｓ３７の処理が実行される。そして、最大待機時間Ｔが経過しても移動機Ｍが最初のページング信号（ステップＳ３６，Ｓ３７）に対して応答しないと、呼出部２１は位置登録エリア情報で示される位置登録エリアに対応する複数の基地局Ｂに（第２の）ページング信号を送信する（ステップＳ４１、呼出ステップ）。そのページング信号を受信した各基地局Ｂは、管理するエリア内においてページング信号を送信し（ステップＳ４２、呼出ステップ）、移動機Ｍは、その内の一の基地局Ｂからのページング信号に応答する（ステップＳ４３）。これにより、ページング処理が完了し更なる呼接続処理が実行される。
【００４７】
以上説明したように、本実施形態によれば、第１のページング信号の送信範囲であるセルは最近受信された位置情報に基づいて推定されるので、１回目のページング処理で移動機Ｍが応答する確率を上げ、その分ページング信号の送信量を抑制することができる。また、１回目のページング処理で移動機Ｍが応答しない場合には、移動機Ｍの現在位置を含む位置登録エリアにおいてページング信号が送信されるので、移動機Ｍを確実に呼び出すことができる。
【００４８】
例えば、位置登録エリアが１００個のセルで構成されているとして、特定のセルにおける１回目のページング信号で移動機Ｍが応答すれば、ページング信号の送信量を１００分の１にすることができる。そして、このような状況が多く発生することで、移動通信システム１全体としてページング信号の送信量を抑制することができる。
【００４９】
また、本実施形態では、推定の際に特別な演算が必要ないので、処理が簡易である。加えて、移動機Ｍのユーザが通話した可能性が高い場所を示す位置情報に基づいて１回目のページングを行うセルが推定されるので、１回目のページング処理で移動機Ｍが応答する確率を高めることができる。更に、移動機Ｍの位置をセル情報で表すので、特別な測位システムを用いる必要がなく、また、推定処理を簡易に実行することができる。
【００５０】
本実施形態においても、移動機Ｍにとっては、従来のページング信号を受信する場合と処理が変わらないので、移動機Ｍに新たな機能を追加する必要なく本発明を実施することが可能である。
【００５１】
（第２実施形態）
次に、図１０，１１を用いて、第２実施形態に係る移動通信システム２について説明する。なお、第１実施形態と同じ部分については説明を省略する。
【００５２】
移動通信システム２と第１実施形態における移動通信システム１との違いは、位置管理サーバの機能構成である。本実施形態における位置管理サーバ３０は機能的構成要素として記憶部（エリア記憶手段、履歴記憶手段、推定手段）３１、エリア管理部３２、受信部（受信手段）３３及び応答部３４を備えている。エリア管理部３２及び受信部３３の機能は第１実施形態におけるエリア管理部１２及び受信部１３と同様なので説明を省略し、以下では記憶部３１及び応答部３４についてのみ説明する。
【００５３】
記憶部３１は、図１１に示すように、端末ＩＤと、位置登録エリア情報と、受信したセル情報の履歴と、移動機Ｍが現在位置していると推定されるセルの情報（推定結果）とを関連付けて記憶する部分である。
【００５４】
記憶部３１は、エリア管理部３２からの入力に基づいて位置登録エリア情報を更新する。
【００５５】
また、記憶部３１は受信部３３からの入力に基づいてセル情報を蓄積する。なお、セル情報には、その情報の取得日時が含まれ、この日時は、移動機Ｍがそのセルに存在した日時を示しているといえる。続いて、記憶部３１は入力されたセル情報に対応する移動機Ｍが現在どのセルに存在するかを推定し、推定結果を更新する。具体的には、記憶部３１はセル情報の履歴に基づいて、現在時刻を含む所定の時間帯における平均滞留率が閾値Ｒ以上であるセルを抽出し、抽出された一以上のセルを推定結果として記憶する。ここで、滞留率とは、一定時間内において移動機Ｍが特定の場所に位置していた時間、すなわち滞留時間の多少を示す値である。
【００５６】
例えば、１時間毎に区切られた時間帯を用い、現在時刻が９：４５であり、閾値Ｒが３０（％）である場合に、記憶部３１は９〜１０時の時間帯において移動機Ｍが過去に平均１８分以上滞留していたセル（平均滞留率が３０％以上のセル）を抽出し、抽出されたセルを示すセル情報を推定結果として記憶する。仮に、この抽出で平均滞留率が５０％のセルＡと平均滞留率が３０％のセルＢとが抽出されたならば、記憶部３１はこれら２個のセルに対応するセル情報を推定結果とする。
【００５７】
図１１の例では、「端末Ａ」は、「セル＃１０００１」及び「セル＃１０００８」のいずれかに存在し、「端末Ｂ」は「セル＃１０１００」のセルに存在していると推定されている。
【００５８】
応答部３４は、交換機２０から受信した位置取得要求に含まれる端末ＩＤに対応する推定結果（一以上のセル情報）及び位置登録エリア情報を記憶部３１から読み出し、これらの情報を含む位置取得応答を交換機２０に送信する。
【００５９】
次に、図１２，１３を用いて、図１０に示す移動通信システム２の動作を説明するとともに本実施形態に係る移動通信方法について説明する。ここでは、第１実施形態と手順が異なるセル情報記憶時の処理及びページング処理についてのみ説明する。
【００６０】
まず、図１２を用いてセル情報記憶時の処理を説明する。ステップＳ５１〜Ｓ５３の処理は、上記ステップＳ２１〜Ｓ２３の処理と同じである。続いて、記憶部３１が受信したセル情報を追加で記憶することでセル情報の履歴を蓄積する（ステップＳ５４）。そして、記憶部３１はセル情報の履歴に基づいて、移動機Ｍが現在どのセルに存在するかを推定し（ステップＳ５５、推定ステップ）、推定結果を記憶（更新）する（ステップＳ５６）。
【００６１】
続いて、図１３を用いてページング処理を説明する。ステップＳ６１，Ｓ６２の処理は、上記ステップＳ３１，Ｓ３２の処理と同じである。続いて、応答部３４が、位置取得要求に含まれる端末ＩＤに対応する推定結果及び位置登録エリア情報を読み出し（ステップＳ６３）、これらの情報を位置取得応答として交換機２０に送信する（ステップＳ６４）。位置取得応答を受信した後の交換機２０の処理（ステップＳ６５，Ｓ６６における１回目のページング処理など）は第１実施形態と同様であるので、説明を省略する。
【００６２】
以上説明したように、本実施形態によれば、蓄積された位置情報の履歴に基づいて所定のセルにおける移動機の平均滞留時間が算出され、この滞留時間に基づいて１回目のページング処理を行うセルが推定される。これにより、ユーザの生活パターンに合わせて第１のページング信号が送信されるので、１回目のページング処理で移動機が応答する確率を高め、その分ページング信号の送信量を抑制することができる。また、１回目のページング処理で移動機Ｍが応答しない場合には、移動機Ｍの現在位置を含む位置登録エリアにおいてページング信号が送信されるので、移動機Ｍを確実に呼び出すことができる。
【００６３】
また本実施形態では、新たな位置情報が記憶されたタイミングで推定処理が実行されるので、ページング処理時にはその推定結果を参照すれば足り、その結果、ページング処理時の負荷を軽減することができる。
【００６４】
また、本実施形態においても、移動機Ｍのユーザが通話した可能性が高い場所を示す位置情報に基づいて１回目のページングを行うセルが推定されるので、１回目のページング処理で移動機Ｍが応答する確率を高めることができる。更に、移動機Ｍの位置をセル情報で表すので、特別な測位システムを用いる必要がなく、また、推定処理を簡易に実行することができる。
【００６５】
本実施形態においても、移動機Ｍにとっては、従来のページング信号を受信する場合と処理が変わらないので、移動機Ｍに新たな機能を追加する必要なく本発明を実施することが可能である。
【００６６】
以上、本発明をその実施形態に基づいて詳細に説明した。しかし、本発明は上記各実施形態に限定されるものではない。本発明は、その要旨を逸脱しない範囲で以下のような様々な変形が可能である。
【００６７】
上記第２実施形態では、記憶部３１が入力された位置情報を記憶したことを契機として、移動機Ｍが現在位置するセルを推定したが、推定処理のタイミングはこれに限定されない。例えば、応答部３４が交換機２０から位置取得要求を受信したことを契機として、応答部３４が位置情報の履歴に基づいて同様の推定処理を実行してもよい。すなわち、応答部３４が推定手段として機能してもよい。このように、ページング処理が行われるタイミングで推定処理を実行することで、推定処理の回数を抑えることができる。
【００６８】
上記各実施形態ではセル情報を位置情報として利用したが、位置情報の構成はこれに限定されず、例えば、無線電波遅延や基地局座標などから算出された緯度経度情報であってもよい。
【００６９】
上記各実施形態では位置管理サーバ１０，３０が呼接続処理（発信処理又は着信処理）時の位置情報を記憶したが、移動機Ｍと基地局Ｂとが無線接続された時の位置情報であれば、位置情報の取得時期は限定されない。例えば、位置管理サーバ１０，３０は、移動機においてメール送受信やコンテンツ受信といった所定のデータ送受信処理が実行されたり、位置登録処理が実行されたりした時の位置情報を記憶してもよい。このような位置情報は従来から用いられている技術により取得されるので、新たに特別な位置情報取得技術を導入する必要はない。
【００７０】
上記第２実施形態では、特定の時間帯における平均滞留率に基づいて、１回目のページング処理が行われるセルが決定されたが、滞留率ではなく、累積滞留時間や、セル情報の記録回数などの他の数値に基づいて推定処理を実行してもよい。
【００７１】
上記各実施形態では、応答部１４，３４がセル情報（推定結果）及び位置登録エリア情報を交換機２０に送信し、呼出部２１がこれらの情報に基づいて二段階のページング処理を実行したが、この際にセルと位置登録エリアとの包含関係を考慮してもよい。
【００７２】
すなわち、応答部１４，３４と同様の機能構成要素（判定手段）が、記憶手段から読み出したセル情報（推定結果）で示されるセルが位置登録エリア情報で示されるエリア内に含まれるか否かを判定する。そして、そのセルが位置登録エリア内に存在しない場合には、判定手段は位置登録エリア情報のみを交換機に送信する。そして、交換機は、上述した第１のページング信号を送信することなく、位置登録エリアに対応する複数の基地局にページング信号（上述した第２のページング信号に相当）を送信する。
【００７３】
一方、そのセルが位置登録エリア内に存在すれば、判定手段はセル情報及び位置登録エリア情報を交換機に送信する。この場合、交換機は上記各実施形態と同様に二段階のページング処理を実行する。
【００７４】
すなわち、交換機は、移動機が存在すると推定されたセルが位置登録エリアに含まれると判定された場合にのみ第１のページング信号を送信する。これにより、移動機が明らかに存在しないセルにおいてページング信号を送信する無駄を省くことができる。
【符号の説明】
【００７５】
１，２…移動通信システム、１０，３０…位置管理サーバ、１１…記憶部（エリア記憶手段）、１２…エリア管理部、１３…受信部（受信手段）、１４…応答部（推定手段）、２０…交換機、２１…呼出部（呼出手段）、３１…記憶部（エリア記憶手段、履歴記憶手段、推定手段）、３２…エリア管理部、３３…受信部（受信手段）、３４…応答部、Ｂ…基地局、Ｍ…移動機。
【図１】
2010246014.tif 000003
【図２】
2010246014.tif 000004
【図３】
2010246014.tif 000005
【図４】
2010246014.tif 000006
【図５】
2010246014.tif 000007
【図６】
2010246014.tif 000008
【図７】
2010246014.tif 000009
【図８】
2010246014.tif 000010
【図９】
2010246014.tif 000011
【図１０】
2010246014.tif 000012
【図１１】
2010246014.tif 000013
【図１２】
2010246014.tif 000014
【図１３】
2010246014.tif 000015